(57)【特許請求の範囲】
【請求項１】
第１の情報処理装置と第２の情報処理装置とを含む情報処理システムであって、
前記第１の情報処理装置は、
個人認証情報を取得する取得手段と、
前記個人認証情報に基づいて個人認証を行う認証手段と、
前記第２の情報処理装置との通信を行う通信手段と、
前記第２の情報処理装置との通信が確立した場合に、前記通信手段を介して前記個人認証情報を前記第２の情報処理装置へ転送する転送手段と、
前記通信手段による前記第２の情報処理装置との通信が切断された場合に、個人認証状態を解除する解除手段とを備え、
前記第２の情報処理装置は、
前記第１の情報処理装置から取得した前記個人認証情報に基づいて個人認証を行う認証手段を備えることを特徴とする情報処理システム。
【請求項２】
前記第１の情報処理装置は、
データを記憶するデータ記憶手段と、
前記データ記憶手段に記憶されており前記個人認証情報と関連付けられたデータに対するアクセス権を、個人認証状態に応じて制御する制御手段をさらに備えることを特徴とする請求項１に記載の情報処理システム。
【請求項３】
前記第１の情報処理装置は、
前記個人認証情報と関連付けられたパラメータを、個人認証状態に応じて設定する設定手段をさらに備えることを特徴とする請求項１に記載の情報処理システム。
【請求項４】
前記第１の情報処理装置は、
前記第２の情報処理装置との通信を行う第２の通信手段と、
前記通信手段から前記第２の通信手段へハンドオーバした場合、前記第２の通信手段による通信が継続している間に、前記第１の情報処理装置の個人認証状態と前記第２の情報処理装置の個人認証状態とを同期させる同期手段と
をさらに備えることを特徴とする請求項１乃至３の何れか１項に記載の情報処理システム。
【請求項５】
前記通信手段はＮＦＣであり、
前記第２の通信手段は、Ｂｌｕｅｔｏｏｔｈ通信であることを特徴とする請求項４に記載の情報処理システム。
【請求項６】
前記第１の情報処理装置は、
個人認証状態を解除する解除操作を受け付ける受付手段と、
前記通信手段による前記第２の情報処理装置との通信が継続中に前記受付手段により前記解除操作が受け付けられた場合、前記解除操作が受け付けられたことを示す情報を前記第２の情報処理装置へ通知する通知手段と
をさらに備えることを特徴とする請求項１乃至５の何れか１項に記載の情報処理システム。
【請求項７】
前記解除手段は、前記受付手段により前記解除操作が受け付けられた場合、個人認証状態を解除することを特徴とする請求項６に記載の情報処理システム。
【請求項８】
前記解除手段は、前記通信手段による前記第２の情報処理装置との通信が継続中に、前記第２の情報処理装置で個人認証状態が解除された場合、当該解除されたことを示す情報の受信に応じて、個人認証状態を解除することを特徴とする請求項１乃至７の何れか１項に記載の情報処理システム。
【請求項９】
前記第１の情報処理装置は、
前記通信手段による前記第２の情報処理装置との通信が継続中に、前記第１の情報処理装置が一定時間操作されずタイムアウトした場合、前記第２の情報処理装置がタイムアウトしているか否かを第２の情報処理装置へ確認する確認手段をさらに備えることを特徴とする請求項１乃至８の何れか１項に記載の情報処理システム。
【請求項１０】
前記解除手段は、前記第２の情報処理装置がタイムアウトしていることが確認された場合、前記個人認証状態を解除することを特徴とする請求項９に記載の情報処理システム。
【請求項１１】
前記解除手段により前記個人認証状態が解除されたことを示す情報を表示する表示制御手段をさらに備えることを特徴とする請求項１乃至１０の何れか１項に記載の情報処理システム。
【請求項１２】
第１の情報処理装置と第２の情報処理装置とを含む情報処理システムの制御方法であって、
前記第１の情報処理装置の取得手段が、個人認証情報を取得する取得工程と、
前記第１の情報処理装置の認証手段が、前記個人認証情報に基づいて個人認証を行う認証工程と、
前記第１の情報処理装置の通信手段が、前記第２の情報処理装置との通信を行う通信工程と、
前記第１の情報処理装置の転送手段が、前記第２の情報処理装置との通信が確立した場合に、前記通信手段を介して前記個人認証情報を前記第２の情報処理装置へ転送する転送工程と、
前記第１の情報処理装置の解除手段が、前記通信手段による前記第２の情報処理装置との通信が切断された場合に、個人認証状態を解除する解除工程と、
前記第２の情報処理装置の認証手段が、前記第１の情報処理装置から取得した前記個人認証情報に基づいて個人認証を行う認証工程と
を有することを特徴とする情報処理システムの制御方法。
【請求項１３】
個人認証情報を取得する取得手段と、
前記個人認証情報に基づいて個人認証を行う認証手段と、
他の情報処理装置との通信を行う通信手段と、
前記他の情報処理装置との通信が確立した場合に、前記通信手段を介して前記個人認証情報を前記他の情報処理装置へ転送する転送手段と、
前記通信手段による前記他の情報処理装置との通信が切断された場合に、個人認証状態を解除する解除手段と
を備えることを特徴とする情報処理装置。
【請求項１４】
情報処理装置の制御方法であって、
取得手段が、個人認証情報を取得する取得工程と、
認証手段が、前記個人認証情報に基づいて個人認証を行う認証工程と、
通信手段が、他の情報処理装置との通信を行う通信工程と、
転送手段が、前記他の情報処理装置との通信が確立した場合に、前記通信手段を介して前記個人認証情報を前記他の情報処理装置へ転送する転送工程と
解除手段が、前記通信手段による前記他の情報処理装置との通信が切断された場合に、個人認証状態を解除する解除工程と
を有することを特徴とする情報処理装置の制御方法。
【請求項１５】
請求項１４に記載の情報処理装置の制御方法の各工程をコンピュータに実行させるためのプログラム。
【発明の詳細な説明】
【技術分野】
【０００１】
本発明は、情報処理システム、情報処理装置、それらの制御方法およびプログラムに関するものである。
【背景技術】
【０００２】
複数ユーザで共有するＭＦＰ（Ｍｕｌｔｉｆｕｎｃｔｉｏｎ  Ｐｅｒｉｐｈｅｒａｌ／Ｐｒｉｎｔｅｒ）、撮像装置といった共有デバイスにおいて、ユーザ毎に共有デバイス内に存在する画像データのアクセス権や、個人用途に共有デバイス設定を管理する個人認証技術がある。
【０００３】
複数の共有デバイスがネットワークを介してデータ授受を行うシステムにおいて、ユーザ毎にアクセス管理されているデータを複数の共有デバイス間で転送するために、一般には、各共有デバイス個別に個人認証を行うことでユーザ管理を行っている。
【０００４】
特許文献１では、撮像装置で生成された撮影画像データ及び該撮影画像データに付加された撮影者の識別情報（例えば個人認証情報）を取り込んでいる。そして、撮影画像データに付加された識別情報に基づいて、該撮影画像データに対する画像処理のパラメータを設定し、設定されたパラメータにしたがって、撮影画像データに対する画像処理を行うことが開示されている。
【先行技術文献】
【特許文献】
【０００５】
【特許文献１】特開２００６−２６２１５５号公報
【発明の概要】
【発明が解決しようとする課題】
【０００６】
しかしながら、複数の共有デバイスに対して個別に個人認証を行うのは手間がかかる。また、特許文献１に提案されている技術では、撮像装置や画像処理装置を複数ユーザで共用する場合、他人の個人認証情報が付加されている画像データにアクセス（閲覧、編集、印刷など）可能であり、セキュリティに問題がある。
【０００７】
本発明は、上述の課題に鑑みてなされたものであり、複数のデバイスに対して個人認証を行う手間を軽減させることを目的とする。
【課題を解決するための手段】
【０００８】
上記の目的を達成するために、本発明に係る情報処理システムは以下の構成を備える。即ち、
第１の情報処理装置と第２の情報処理装置とを含む情報処理システムであって、
前記第１の情報処理装置は、
個人認証情報を取得する取得手段と、
前記個人認証情報に基づいて個人認証を行う認証手段と、
前記第２の情報処理装置との通信を行う通信手段と、
前記第２の情報処理装置との通信が確立した場合に、前記通信手段を介して前記個人認証情報を前記第２の情報処理装置へ転送する転送手段と、
前記通信手段による前記第２の情報処理装置との通信が切断された場合に、個人認証状態を解除する解除手段とを備え、
前記第２の情報処理装置は、
前記第１の情報処理装置から取得した前記個人認証情報に基づいて個人認証を行う認証手段を備えることを特徴とする。
【発明の効果】
【０００９】
本発明によれば、複数のデバイスに対して個人認証を行う手間を軽減させることが可能となる。
【図面の簡単な説明】
【００１０】
【図１】実施形態１に係る情報処理システムの構成例を示す図。
【図２】実施形態１に係る撮像装置の構成例を示す図。
【図３】実施形態１に係る情報処理装置の構成例を示す図。
【図４】実施形態１に係る情報処理システムが実施する処理の手順を示すフローチャート。
【図５】実施形態２に係る情報処理システムが実施する処理の手順を示すフローチャート。
【図６】実施形態３に係る状態遷移図。
【図７】実施形態３に係る情報処理装置が実施するユーザ操作による個人認証解除時の処理手順を示すフローチャート。
【図８】実施形態３に係る情報処理システムが実施する処理の手順を示すフローチャート。
【図９】実施形態３に係る情報処理装置が実施するタイムアウトによる個人認証解除時の処理手順を示すフローチャート。
【発明を実施するための形態】
【００１１】
以下、添付の図面を参照しながら、本発明の実施の形態について詳述する。
【００１２】
（実施形態１）
＜１．情報処理システムの構成＞
図１は、実施形態１に係る情報処理システムの構成例を示す図である。撮像装置１００および情報処理装置２００は、複数のユーザによって共有して使用される共有デバイスであり、個人認証することでユーザ管理を行っている。ユーザは、共有デバイスである撮像装置１００および情報処理装置２００を自分の認証状態にするために、各々に対して事前にユーザ登録しておく必要がある。ユーザ登録の手順としては、まずタッチパネルや操作キーなどから構成されるユーザインタフェースを操作してユーザ登録モードに遷移させ、個人認証情報を入力する。
【００１３】
個人認証情報とは、例えばユーザを特定するユーザＩＤとパスワードである。入力されたユーザＩＤとパスワードは、後述する認証情報記憶部１０８、２０８に記憶され、ユーザ登録が完了する。ユーザ登録済みの共有デバイスに対して個人認証情報（ユーザＩＤとパスワード）が入力されて取得されると、認証情報記憶部１０８、２０８に記憶されている個人認証情報と比較照合を行い、既に登録済みのユーザであることを確認すると個人認証状態となる。このように、共有デバイスが個人認証されている状態のことを個人モードと呼ぶ。
【００１４】
ここで、図１に示されるように、撮像装置１００は、ユーザＡ、ユーザＢ、ユーザＣの個人認証情報を記憶しているので、ユーザＡ、ユーザＢ、ユーザＣの個人モードに遷移可能である。同様に、情報処理装置２００は、ユーザＡ、ユーザＢ、ユーザＤの個人認証情報を記憶しているので、ユーザＡ、ユーザＢ、ユーザＤの個人モードに遷移可能である。共有デバイス内の画像データはユーザを特定するユーザＩＤと関連付けられて画像データ記憶部１０９、２０９に記憶されており、共有デバイスを個人モードにすることで対象のユーザＩＤが関連付けられている画像データにアクセス可能となる。
【００１５】
共有デバイスは、個人認証されていない状態でも使用可能であり、この状態のことを共有モードと呼ぶ。共有モードの場合は、ユーザＩＤが関連付けられていない画像データにのみアクセス可能である。
【００１６】
撮像装置１００および情報処理装置２００は、互いにＮＦＣ（ＮｅａｒＦｉｅｌｄＣｏｍｍｕｎｉｃａｔｉｏｎ）が可能な構成となっている。ユーザＡの個人モードの撮像装置１００を情報処理装置２００にタッチすると、ＮＦＣを介して撮像装置１００の個人認証情報を情報処理装置２００に送信する。情報処理装置２００は、受信した個人認証情報に基づいて撮像装置１００と同じユーザＡの個人モードに遷移する。
【００１７】
＜２．撮像装置の構成＞
図２は、本実施形態に係る撮像装置の構成例を示す図である。撮像装置１００（例えば、デジタルカメラ）は、撮像部１０１と、撮像処理部１０２と、操作部１０４および表示部１０５を含むユーザインタフェース１０３と、個人認証部１０６と、通信部１０７と、認証情報記憶部１０８と、画像データ記憶部１０９と、アクセス制御部１１０と、ＣＰＵ１１１と、ＲＯＭ１１２と、ＲＡＭ１１３とを備えている。
【００１８】
撮像部１０１は、被写体を撮影して電気信号に変換する。撮像処理部１０２は、撮像部１０１から出力された電気信号をデジタル信号に変換し、画像処理を施して画像データを生成する。ユーザインタフェース１０３は、操作部１０４と表示部１０５を備えている。操作部１０４は、操作ボタンや操作キーから構成され、表示部１０５は、例えば、タッチパネル式のＬＥＤパネルであり、各種表示制御を行い、操作部としての機能も有してもよい。
【００１９】
個人認証部１０６は、ユーザインタフェース１０３や通信部１０７から入力される個人認証情報と、ユーザ登録によって予め認証情報記憶部１０８に記憶されている個人認証情報とを比較照合し、個人認証を行う。通信部１０７は、外部機器との間で個人認証情報や画像データなどの各種データの授受を行う。例えば、ＮＦＣやＢｌｕｅｔｏｏｔｈ（登録商標），Ｗｉ−Ｆｉ通信などである。
【００２０】
認証情報記憶部１０８は、個人認証を行うための個人認証情報を記憶する。また、認証情報記憶部１０８は、各種設定パラメータとユーザ毎の個人認証情報とを関連付けて記憶しておき、認証された個人モードに応じて設定パラメータを自動的に変更するようにしてもよい。例えば、解像度、露出、シャッター速度、ＩＳＯ感度などをカスタマイズする設定を記憶しておいてもよい。
【００２１】
画像データ記憶部１０９は、撮像処理部１０２から出力された画像データを記憶する記憶媒体であり、個人認証が行われている場合は、画像データと個人認証情報とを関連付けて記憶する。この画像データ記憶部１０９は、撮像装置１００に内蔵の記憶媒体であってもよいし、例えばメモリカードのように撮像装置１００に着脱可能な外付けの記憶媒体であってもよい。アクセス制御部１１０は、画像データ記憶部１０９内の個人認証情報と関連付けられている画像データに対してのアクセスを制御する。
【００２２】
例えば、ユーザＡの個人認証情報が関連付けられている画像データは、撮像装置１００がユーザＡの個人モードのときのみアクセス可能であり、ユーザＡ以外の個人モードや共有モードのときはアクセスできないように制御する。ＣＰＵ１１１は、ＲＯＭ１１２に格納された制御プログラムを読み出し実行することにより、撮像装置１００各部の動作を統括的に制御する。ＲＡＭ１１３は、読み出し及び書き込み可能なメモリであり、各種データを一時的に格納するための記憶部である。
【００２３】
＜３．情報処理装置の構成＞
図３は、本実施形態に係る情報処理装置の構成例を示す図である。情報処理装置２００（例えば、ＭＦＰ）は、スキャナ部２０１と、プリンタ部２０２と、操作部２０４および表示部２０５を含むユーザインタフェース２０３と、個人認証部２０６と、通信部２０７と、認証情報記憶部２０８と、画像データ記憶部２０９と、アクセス制御部２１０と、ＣＰＵ２１１と、ＲＯＭ２１２と、ＲＡＭ２１３とを備えている。
【００２４】
スキャナ部２０１は、原稿をスキャンして画像データを生成する。プリンタ部２０２は、スキャナ部２０１や通信部２０７を介して受信した画像データに従って、記録材に画像を形成する。ユーザインタフェース２０３は、操作部２０４と表示部２０５を備えている。操作部２０４は、操作ボタンや操作キーから構成され、表示部２０５は、例えば、タッチパネル式のＬＥＤパネルであり、各種表示制御を行い、操作部としての機能も有してもよい。
【００２５】
個人認証部２０６は、ユーザインタフェース２０３や通信部２０７から入力される個人認証情報と、ユーザ登録によって予め認証情報記憶部２０８に記憶されている個人認証情報とを比較照合し、個人認証を行う。通信部２０７は、外部機器との間で個人認証情報や画像データなどの各種データの授受を行う。例えば、ＮＦＣやＢｌｕｅｔｏｏｔｈ（登録商標），Ｗｉ−Ｆｉ通信などである。
【００２６】
認証情報記憶部２０８は、個人認証を行うための個人認証情報を記憶する。また、認証情報記憶部２０８は、プリントやスキャン用の設定パラメータとユーザ毎の個人認証情報とを関連付けて記憶しておき、認証された個人モードに応じて設定パラメータを自動的に変更するようにしてもよい。例えば、プリントパラメータとして、印刷モード（きれい/速い、片面/両面、用紙選択、レイアウト等）をカスタマイズする設定を記憶しておいてもよい。あるいはスキャンパラメータとしてデフォルトの画像サイズを記憶しておいてもよい。
【００２７】
画像データ記憶部２０９は、画像データ管理部として使用し、個人認証情報と画像データとを関連付けて記憶することでユーザ管理を行える構成となっている。この画像データ記憶部２０９は、情報処理装置２００に内蔵の記憶媒体であってもよいし、例えば外付けＨＤＤ（Ｈａｒｄ Ｄｉｓｋ Ｄｒｉｖｅ）のように情報処理装置２００に着脱可能な外付けの記憶媒体であってもよい。
【００２８】
アクセス制御部２１０は、画像データ記憶部２０９内の個人認証情報と関連付けられている画像データに対してのアクセスを制御する。ＣＰＵ２１１は、ＲＯＭ２１２に格納された制御プログラムを読み出し実行することにより、情報処理装置２００各部の動作を統括的に制御する。ＲＡＭ２１３は、読み出し及び書き込み可能なメモリであり、スキャナ部２０１や通信部２０７から送られてきた画像データやジョブデータを一時的に格納するための記憶部である。
【００２９】
＜４．情報処理システムの処理内容＞
次に図４は、本実施形態に係るユーザＡ、撮像装置１００、情報処理装置２００の間で実施される処理の手順を示すフローチャートである。図４は、撮像装置１００で撮影した画像データを情報処理装置２００に転送し、保存された画像データを情報処理装置２００で印刷する処理フローである。撮像装置１００及び情報処理装置２００は電源がＯＮにされていて共有モードの状態から処理が開始される。
【００３０】
まず、ユーザＡは、撮像装置１００のユーザインタフェース１０３から個人認証情報（ユーザＩＤとパスワード）を入力する（Ｓ００１）。撮像装置１００は、ユーザインタフェース１０３に入力された個人認証情報を受信する（Ｓ１０１）。そして、ユーザ登録により認証情報記憶部１０８に予め記憶されている個人認証情報と比較照合を行い（Ｓ１０２）、共有モードからユーザＡの個人モードに遷移する（Ｓ１０３）。ここでは図示していないが、個人認証処理（Ｓ１０２）で個人認証情報の比較照合が不一致の場合は、個人認証に失敗したことを表示部１０５に表示すればよい。
【００３１】
続いて、ユーザＡは、撮像装置１００で撮影を行う（Ｓ００２）。撮像装置１００は、撮影された画像データにユーザＡのユーザＩＤを関連付けて画像データ記憶部１０９に記憶する（Ｓ１０５）。
【００３２】
続いて、ユーザＡは、撮像装置１００に記憶されている画像データをユーザインタフェース１０３を介して選択し（Ｓ００３、Ｓ１０６）、撮像装置１００を情報処理装置２００にＮＦＣタッチする（Ｓ００４）。撮像装置１００は、情報処理装置２００とのＮＦＣが確立すると、現在の個人モードであるユーザＡの個人認証情報をＮＦＣ経由で情報処理装置２００に送信する（Ｓ１０７）。情報処理装置２００は、撮像装置１００から送信された個人認証情報を受信し（Ｓ２０１）、ユーザ登録により認証情報記憶部２０８に予め記憶されている個人認証情報と比較照合を行い（Ｓ２０２）、個人認証結果を撮像装置１００に通知する（Ｓ２０３）。そして、情報処理装置２００は、共有モードからユーザＡの個人モードに遷移する（Ｓ２０４）。ここでは図示していないが、個人認証処理（Ｓ２０２）で個人認証情報の比較照合が不一致の場合は、個人認証に失敗したことを表示部２０５に表示すればよい。
【００３３】
一方、撮像装置１００は、情報処理装置２００から通知された個人認証結果を受信する（Ｓ１０８）。そして、該個人認証結果に基づいて情報処理装置２００の個人認証が成立していた場合、選択されている画像データをＮＦＣ経由で情報処理装置２００に送信する（Ｓ１０９）。ここでは図示していないが、情報処理装置２００から個人認証結果を受信して情報処理装置２００の個人認証が不成立の場合は、情報処理装置２００が個人認証に失敗したことを表示部１０５に表示すればよい。
【００３４】
情報処理装置２００は、撮像装置１００から送信された画像データを受信し（Ｓ２０５）、当該受信した画像データにユーザＡのユーザＩＤを関連付けて画像データ記憶部２０９に記憶する（Ｓ２０６）。
【００３５】
続いて、ユーザＡは、情報処理装置２００に記憶されている画像データをユーザインタフェース２０３を介して選択し（Ｓ００５、Ｓ２０７）、印刷指示する（Ｓ００６）。情報処理装置２００は印刷指示を受けて、印刷を実行する（Ｓ２０８）。
【００３６】
印刷が完了したら、ユーザＡは、撮像装置１００と情報処理装置２００の電源をＯＦＦして（Ｓ００７、Ｓ００８、Ｓ１１０、Ｓ２０９）、一連の処理を終了する。
【００３７】
以上のように、ユーザＡの個人モードの撮像装置１００を情報処理装置２００にＮＦＣタッチすることで、個人認証情報を情報処理装置２００に送信する。そして、情報処理装置２００は、撮像装置１００と同じユーザＡの個人モードに遷移するため、画像データのアクセス権に関わらず、情報処理装置２００は個人モードになることができる。よって、ユーザＡの個人認証情報が関連付けられた画像データにアクセスすることができる。また、ユーザＡは、撮像装置１００に１回だけ個人認証して個人モードに遷移すれば、撮像装置１００から情報処理装置２００に画像データを転送する際にＮＦＣタッチするだけで、情報処理装置２００を撮像装置１００と同じ個人モードにすることができる。したがって、その後、情報処理装置２００から画像データの閲覧や印刷をしたい場合に、情報処理装置２００に個人認証情報を入力して再度、個人認証する必要がなく、ユーザの利便性が向上する。
【００３８】
なお、実施形態１では、撮像装置１００と情報処理装置２００との間で画像データの転送をする際に、ＮＦＣタッチして撮像装置１００の個人モードを情報処理装置２００に継承する例を説明した。しかしながら、画像データ転送時に関わらず、撮像装置１００と情報処理装置２００との間で個人モードを継承するためだけにＮＦＣタッチしても構わない。例えば、情報処理装置２００を個人モードに遷移させたい場合、個人モードの撮像装置１００のユーザインタフェース１０３を操作して、表示部１０５に個人認証情報を表示した状態で、情報処理装置２００にＮＦＣタッチしてもよい。これにより、撮像装置１００から個人認証情報だけを情報処理装置２００に送信して、情報処理装置２００が個人モードに遷移してもよい。
【００３９】
このような構成にすることで、情報処理装置２００を個人モードで使用したい場合に、ユーザはＮＦＣタッチするだけでよく、情報処理装置２００にユーザＩＤやパスワードを入力する必要がない。また、情報処理装置２００の個人認証情報を入力する方法が、キー操作ではなくＩＤカードなどの場合、ＩＤカードを忘れた場合でも撮像装置１００を個人モードにすれば、ＮＦＣタッチすることで情報処理装置２００を個人モードにすることができるため、ユーザの利便性が向上する。
【００４０】
（実施形態２）
実施形態１では、ＮＦＣを用いて撮像装置１００から情報処理装置２００に画像データを転送する例を説明した。しかしながら、ＮＦＣの通信速度は１０６〜４２４Ｋｂｐｓであり、大容量のデータ転送には適していない。これに対して、実施形態２では、画像データの転送をＮＦＣより高速なＢｌｕｅｔｏｏｔｈ（登録商標）やＷｉ−Ｆｉにハンドオーバして行う例を説明する。なお、撮像装置１００および情報処理装置２００の構成は実施形態１と同様であるので説明を省略する。
【００４１】
図５は、本実施形態に係る情報処理システムにおいて、Ｂｌｕｅｔｏｏｔｈ（登録商標）を用いて撮像装置１００から情報処理装置２００へ画像データを転送する処理の手順を示すフローチャートである。画像データの転送以外の部分は、実施形態１で説明した図４の処理フローと同じであるため、詳細な説明は省略する。
【００４２】
まず、ユーザＡが、撮像装置１００を情報処理装置２００にＮＦＣタッチすると（Ｓ００４）、撮像装置１００は、ユーザＡの個人認証情報をＮＦＣ経由で情報処理装置２００に送信する（Ｓ１０７）。そして、情報処理装置２００は、受信した個人認証情報に基づいて、共有モードからユーザＡの個人モードに遷移する（Ｓ２０４）。ここまでは実施形態１のフローと同じであり、以下の処理が異なる。
【００４３】
撮像装置１００は、情報処理装置２００に対してＢｌｕｅｔｏｏｔｈ接続要求をＮＦＣ経由で送信する（Ｓ１００１）。情報処理装置２００は、撮像装置１００から送信されたＢｌｕｅｔｏｏｔｈ接続要求を受信し（Ｓ２００１）、Ｂｌｕｅｔｏｏｔｈ通信の接続を確立するための設定情報をＮＦＣ経由で撮像装置１００に送信する（Ｓ２００２）。撮像装置１００は、情報処理装置２００から送信された設定情報を受信し（Ｓ１００２）、当該設定情報に基づいて情報処理装置２００とＢｌｕｅｔｏｏｔｈ通信を確立する（Ｓ１００３）。
【００４４】
続いて、撮像装置１００は、選択されている画像データをＢｌｕｅｔｏｏｔｈ経由で情報処理装置２００に送信する（Ｓ１００４）。以降の処理は図４の処理フローと同様である。
【００４５】
以上説明したように、撮像装置１００から情報処理装置２００への個人認証情報の送信と、撮像装置１００と情報処理装置２００との間のＢｌｕｅｔｏｏｔｈ通信を確立するためのペアリングとをＮＦＣで行い、画像データの転送はＢｌｕｅｔｏｏｔｈで行う。これにより、より高速に画像データ転送が可能となり、ユーザの利便性が向上する。
【００４６】
（実施形態３）
実施形態３では、共有デバイスの個人認証解除のタイミング、すなわち、個人認証を行い共有モードから個人モードに遷移した共有デバイスが、共有モードに戻る動作について説明する。
【００４７】
図６は、共有デバイスである撮像装置１００及び情報処理装置２００単体での個人認証の状態遷移図を示す。電源ＯＦＦ状態（Ｓ０）の共有デバイスは、電源スイッチをＯＮされると電源ＯＦＦ状態（Ｓ０）から共有モード（Ｓ１）に遷移する（Ｔ００）。共有モード（Ｓ１）の共有デバイスは、ユーザインタフェースから個人認証情報（ユーザＩＤとパスワード）を入力されて個人認証すると共有モード（Ｓ１）から個人モード（Ｓ２）に遷移する（Ｔ１０）。個人モード（Ｓ２）の共有デバイスは、ユーザインタフェースから個人認証解除の操作が受付けられると個人モード（Ｓ２）から共有モード（Ｓ１）に遷移する（Ｔ２０）。
【００４８】
また、共有デバイスが一定時間ｔ操作されなかった場合、自動的に個人認証が解除されて、個人モード（Ｓ２）から共有モード（Ｓ１）に遷移する（Ｔ２１）。一定時間ｔは、ユーザの用途に合わせて任意に設定可能である。最後に、共有モード（Ｓ１）及び個人モード（Ｓ２）の共有デバイスは、電源スイッチをＯＦＦされると共有モード（Ｓ１）及び個人モード（Ｓ２）から電源ＯＦＦ状態（Ｓ０）に遷移する（Ｔ１１、Ｔ２２）。
【００４９】
＜ユーザ操作により個人モード解除＞
次に図７は、個人モードの撮像装置１００と情報処理装置２００との間のＮＦＣが確立し、情報処理装置２００が個人モードに遷移した状態で、情報処理装置２００がユーザインタフェースを介して個人認証解除操作された場合の処理手順を示すフローチャートである。
【００５０】
なお、ここでは図示していないが、撮像装置１００も同様の処理フローで動作している。撮像装置１００と情報処理装置２００は、図８に示す個人モードでの撮像装置処理（Ｓ１１０１）及びＭＦＰ処理（Ｓ２１０１）の間、図７に示す処理フローに従って並列に動作している。なお、図８のその他の処理は図４の処理フローと同様である。
【００５１】
図７において、まず情報処理装置２００は、撮像装置１００とのＮＦＣが継続しているか否かを判定する（Ｓ３０１）。ＮＦＣが切断されている場合（Ｓ３０１，Ｎｏ）、情報処理装置２００は、個人モードから共有モードに遷移し（Ｓ３０５）、表示部２０５に個人モードから共有モードに遷移したことを表示して（Ｓ３０６）、終了する。
【００５２】
一方、ＮＦＣが継続中の場合（Ｓ３０１，Ｙｅｓ）、情報処理装置２００は、ユーザインタフェース（１０３）を介して個人モード解除の操作がされたか否かを判定する（Ｓ３０２）。個人モード解除の操作がされた場合（Ｓ３０２，Ｙｅｓ）、情報処理装置２００は、個人モード解除の操作がされたことを撮像装置１００に通知して（Ｓ３０３）、個人モードから共有モードに遷移する（Ｓ３０５）。なお、ここでは図示していないが、撮像装置１００は、情報処理装置２００からの通知を受信し、個人モードから共有モードに遷移する。
【００５３】
一方、個人モード解除の操作がされなかった場合（Ｓ３０２，Ｎｏ）、情報処理装置２００は、撮像装置１００から個人モード解除操作の通知を受信したか否かを判定する（Ｓ３０４）。撮像装置１００からの通知を受信していた場合（Ｓ３０４，Ｙｅｓ）、情報処理装置２００は、個人モードから共有モードに遷移して（Ｓ３０５）、表示部２０５に個人モードから共有モードに遷移したことを表示して（Ｓ３０６）、終了する。撮像装置１００からの通知を受信していなかった場合（Ｓ３０４，Ｎｏ）、処理フローの先頭（Ｓ３０１）に戻る。
【００５４】
図７では、実施形態１のように撮像装置１００と情報処理装置２００との間でＮＦＣが確立している場合を示した。一方、実施形態２のようにＮＦＣからＢｌｕｅｔｏｏｔｈ（登録商標）など別の通信方法にハンドオーバする場合も、Ｂｌｕｅｔｏｏｔｈ通信が継続中は、同様の処理フローとなる。
【００５５】
以上説明したように、撮像装置１００と情報処理装置２００とのどちらか一方が、ユーザにより個人認証解除操作された場合、通信継続中は、撮像装置１００と情報処理装置２００とが同期して、個人モードから共有モードに遷移する。また、通信が切断された場合は、情報処理装置２００の個人認証が自動的に解除され、個人モードから共有モードに遷移する。このため、ユーザは１回の個人認証解除操作を行えばよいので、利便性が向上する。また、個人認証解除を忘れることによって他人に自分の個人モードで使用される可能性を軽減することができる。
【００５６】
＜タイムアウトにより個人モード解除＞
ここで図９は、個人モードの撮像装置１００と情報処理装置２００とのＮＦＣが確立し、情報処理装置２００が個人モードに遷移した状態で、情報処理装置２００が一定時間操作されずタイムアウトして、個人認証が自動解除される場合の処理手順を示すフローチャートである。なお、ここでは図示していないが、撮像装置１００も同様の処理フローで動作している。撮像装置１００と情報処理装置２００は、図７の処理フロー同様に、図８に示す個人モードでの撮像装置処理（Ｓ１１０１）及びＭＦＰ処理（Ｓ２１０１）の間、図９に示す処理フローで並列に動作している。
【００５７】
図９において、まず情報処理装置２００は、撮像装置１００とのＮＦＣが継続しているか否かを判定する（Ｓ４０１）。ＮＦＣが切断されている場合（Ｓ４０１，Ｎｏ）、情報処理装置２００は、個人モードから共有モードに遷移して（Ｓ４０５）、表示部２０５に個人モードから共有モードに遷移したことを表示して（Ｓ４０６）、終了する。
【００５８】
一方、ＮＦＣが継続中の場合（Ｓ４０１，Ｙｅｓ）、情報処理装置２００は、一定時間操作されなかったか否かを判定する（Ｓ４０２）。操作されている場合（Ｓ４０２，Ｎｏ）、処理フローの先頭（Ｓ４０１）に戻る。一定時間操作されなかった場合（Ｓ４０２，Ｙｅｓ）、撮像装置１００が一定時間操作されずタイムアウト状態か否か確認する（Ｓ４０３）。
【００５９】
撮像装置１００が一定時間操作されずタイムアウト状態の場合（Ｓ４０４，Ｙｅｓ）、情報処理装置２００は、個人モードから共有モードに遷移して（Ｓ４０５）、表示部２０５に個人モードから共有モードに遷移したことを表示して（Ｓ４０６）、終了する。撮像装置１００が操作されている場合（Ｓ４０４，Ｎｏ）、処理フローの先頭（Ｓ４０１）に戻る。
【００６０】
なお、図９では、実施形態１のように撮像装置１００と情報処理装置２００との間でＮＦＣが確立している場合を示した。一方、実施形態２のようにＮＦＣからＢｌｕｅｔｏｏｔｈ（登録商標）など別の通信方法にハンドオーバする場合も、Ｂｌｕｅｔｏｏｔｈ通信が継続中は、同様のフローとなる。
【００６１】
以上説明したように、撮像装置１００と情報処理装置２００とが共に一定時間操作されずタイムアウトしたときに、両者が同期して個人モードから共有モードに遷移する。すなわち、撮像装置１００と情報処理装置２００のどちらか一方が一定時間操作されずタイムアウトした場合でも、他方が操作されていれば個人モードが継続される。このため、ユーザはどちらか一方だけを操作していて、しばらく時間を空けて再度、他方を使用する場合に、再認証が必要なくなるため、利便性が向上する。
【００６２】
以上説明したように、上述の各実施形態によれば、共有デバイスが個人認証された場合にのみ、個人認証情報が付加されている画像データに対して、アクセスを許可するよう制御する。これにより、他人の画像データにアクセスできなくなり、その結果セキュリティが向上する。
【００６３】
また、個人モードの撮像装置が、情報処理装置（ＭＦＰ）と通信した時に、ＭＦＰが撮像装置の個人認証情報を受信してＭＦＰに登録済みの個人ＩＤと比較照合を行うため、画像データのアクセス権に関わらず個人モードに遷移することができる。
【００６４】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６５】
１００：撮像装置、１０１：撮像部、１０２：撮像処理部、１０３，２０３：ユーザインタフェース、１０４，２０４：操作部、１０５，２０５表示部、１０６，２０６：個人認証部、１０７，２０７：通信部、１０８，２０８：認証情報記憶部、１０９，２０９：画像データ記憶部、１１０，２１０：アクセス制御部、情報処理装置２００、スキャナ部２０１、プリンタ部２０２
【図１】
0006305271.tif 000002
【図２】
0006305271.tif 000003
【図３】
0006305271.tif 000004
【図４】
0006305271.tif 000005
【図５】
0006305271.tif 000006
【図６】
0006305271.tif 000007
【図７】
0006305271.tif 000008
【図８】
0006305271.tif 000009
【図９】
0006305271.tif 000010